(57)【要約】【課題】高い利便性を保ちつつ、移動通信網との無線通信以外に使用するトランスミッタの提供する機能を精度良く制限する。【解決手段】ＦＭトランスミッタ１０８を備える携帯電話機１００において、制御部１０３は、装置が国内にあるか国外にあるかを判断する位置確認手段と、最後に判断された装置の位置を、メモリ１０５に記憶させる位置登録手段と、装置が国内にあると判断される場合にＦＭトランスミッタ１０８を起動し、国外にあると判断される場合にＦＭトランスミッタ１０８を起動しない制御を行うＦＭトランスミッタ起動制御手段と、として動作する。装置の位置を判断できない場合には、最後に判断された装置の位置が、国内であればＦＭトランスミッタ１０８を起動し、国外であれば起動しない。【選択図】図１
2011188533.tif 000002
【特許請求の範囲】
【請求項１】
移動通信網との無線通信以外に使用するトランスミッタを備える無線通信装置であって、
装置が国内にあるか否かを判断する位置確認手段と、
前記位置確認手段により装置が国内にあると判断される場合に前記トランスミッタを起動し、国内にあると判断されない場合に前記トランスミッタを起動しない制御を行うトランスミッタ起動制御手段と、を有することを特徴とする無線通信装置。
【請求項２】
前記位置確認手段により最後に判断された装置の位置を記憶する記憶手段を有し、
前記トランスミッタ起動制御手段は、前記位置確認手段により装置の位置が判断されない場合に、前記記憶手段が記憶する最後に判断された装置の位置が、国内であれば前記トランスミッタを起動し、国内でなければ前記トランスミッタを起動しない制御を行うことを特徴とする請求項１に記載の無線通信装置。
【請求項３】
前記位置確認手段により装置の位置が判断されなくなった時点からの時間を計測する計測手段を有し、
前記トランスミッタ起動制御手段は、前記記憶手段の記憶する所定の閾値と、前記計測手段の計測した時間と、を比較して、後者が前者より短い場合に、前記トランスミッタを起動する制御を行うことを特徴とする請求項２記載の無線通信装置。
【請求項４】
前記トランスミッタ起動制御手段は、
前記記憶手段が記憶する最後に判断された装置の位置が国内であり、かつ、
前記記憶手段の記憶する所定の閾値と、前記計測手段の計測した時間と、の比較において、後者が前者より短い場合に、
前記トランスミッタを起動する制御を行うことを特徴とする請求項３記載の無線通信装置。
【請求項５】
前記位置確認手段は、装置の無線通信手段を用いて、装置が無線通信する移動通信網から送信されるデータの一部にある国番号を確認し、装置が国内にあるか否かを判断することを特徴とする請求項１から４のいずれか１項記載の無線通信装置。
【請求項６】
前記位置確認手段は、装置の位置情報を前記移動通信網の管理サーバに位置登録し、
前記記憶手段は、前記位置確認手段が国内の前記移動通信網の管理サーバに位置登録したか否かを示すフラグを有し、
前記トランスミッタ起動制御手段は、前記フラグを参照して行うことを特徴とする請求項５記載の無線通信装置。
【請求項７】
移動通信網との無線通信以外に使用するトランスミッタを備える無線通信装置の制御方法であって、
装置が国内にあるか否かを判断する位置確認ステップと、
前記位置確認ステップにより装置が国内にあると判断される場合に前記トランスミッタを起動し、国内にあると判断されない場合に前記トランスミッタを起動しない制御を行うトランスミッタ起動制御ステップと、を有することを特徴とする無線通信装置の制御方法。
【請求項８】
前記位置確認手段により最後に判断された装置の位置を記憶させるステップを有し、
前記トランスミッタ起動制御ステップは、前記位置確認ステップにおいて装置の位置が判断できない場合に、前記記憶ステップにおいて最後に判断された装置の位置が、国内であれば前記トランスミッタを起動し、国内でなければ前記トランスミッタを起動しない制御ステップを有することを特徴とする請求項７記載の無線通信装置の制御方法。
【発明の詳細な説明】
【技術分野】
【０００１】
本発明は、無線通信装置及びその制御方法に関し、特に、ＦＭトランスミッタを備える無線通信装置に関する。
【背景技術】
【０００２】
本発明に関連する技術としては、特許文献１ないし３に記載の発明がある。特許文献１には、特に段落００４２、００５８等に、「無線通信方式の異なる領域へ移動した場合でも、自動的に移動した領域に対応した無線通信方式で無線通信が可能になる」旨の記載がある。また、特許文献２には、特に段落００６４等に、衛星を用いた位置情報検出システムを用いて電子機器が特定の地域に存在するか否かを判定することが記載されている。また、特許文献３は、ＦＭ送信系（ＦＭトランスミッタに相当）を備える無線通信装置に関する技術であって、特に段落００３７、００７９−００８１には当該ＦＭ送信系の動作についての記載がある。
【特許文献１】特開２００２−２０９２４６号公報
【特許文献２】特開平１１−１０８６８５号公報
【特許文献３】特開平１１−１６３７６０号公報
【発明の開示】
【発明が解決しようとする課題】
【０００３】
無線通信装置の中でも例えば携帯電話機のＦＭトランスミッタは、音楽再生機能から入力した音楽データをＦＭ信号に変調して送信する機能を実現する。ＦＭ放送受信機は、携帯電話機が送信したＦＭ信号を受信して、音楽データに復調し再生する。
【０００４】
近年、一部の携帯電話機は、国際ローミング機能が搭載され、国内で使用している携帯電話機を海外にそのまま持ち込んで使用することが可能となった。海外でもＦＭ放送受信機があれば、ＦＭトランスミッタが提供する機能を利用して、ＦＭ放送受信機にて音楽データを再生することができる。
【０００５】
しかしながら、海外での電波法等による規制は、日本の規制と異なる可能性があり、海外での利用を制限する必要がある。
一方、携帯電話機のサービスエリアに対する状態が圏内であるか圏外であるかを判別して、圏内のときのみ使用可能とすると、国内のトンネルや地下や山間部などで圏外になった場合、国内でもＦＭトランスミッタが起動できなくなる可能性がある。国内でも圏外になることを考慮した対策が必要となる。
【０００６】
したがって、法令遵守等のためにＦＭトランスミッタの提供する機能を制限する必要がある一方で、携帯電話の利用者にとっての利便性を極力失わないしくみの提供が問題となる。しかしながら、上記特許文献１ないし３に記載の発明等では、この問題を解決することができない。
【０００７】
本発明は、上記実情に鑑みてなされたものであり、ＦＭトランスミッタを備える無線通信装置において、高い利便性を保ちつつ、ＦＭトランスミッタの提供する機能を精度良く制限することを目的とする。
【課題を解決するための手段】
【０００８】
上記目的を達成するために、本発明が提供する解決手段の第１の態様は、ＦＭトランスミッタを備える無線通信装置であって、装置が国内にあるか国外にあるかを判断する位置確認手段と、該位置確認手段により最後に判断された装置の位置を、不揮発性の記憶手段に記憶させる位置登録手段と、前記位置確認手段により装置が国内にあると判断される場合に前記ＦＭトランスミッタを起動し、国外にあると判断される場合に前記ＦＭトランスミッタを起動しない制御を行うＦＭトランスミッタ起動制御手段と、を有し、前記ＦＭトランスミッタ起動制御手段は、前記位置確認手段が装置の位置を判断できない場合に、前記記憶手段が記憶する最後に判断された装置の位置が、国内であれば前記ＦＭトランスミッタを起動し、国外であれば前記ＦＭトランスミッタを起動しない制御を行うことを特徴とする無線通信装置である。
【０００９】
また、第２の態様は、ＦＭトランスミッタを備える無線通信装置の制御方法であって、装置が国内にあるか国外にあるかを判断する位置確認ステップと、該位置確認ステップにより最後に判断された装置の位置を、不揮発性の記憶手段に記憶させる位置登録ステップと、前記位置確認ステップにより装置が国内にあると判断される場合に前記ＦＭトランスミッタを起動し、国外にあると判断される場合に前記ＦＭトランスミッタを起動しない制御を行うＦＭトランスミッタ起動制御ステップと、を有し、前記ＦＭトランスミッタ起動制御ステップは、前記位置確認ステップにおいて装置の位置が判断できない場合に、前記記憶手段が記憶する最後に判断された装置の位置が、国内であれば前記ＦＭトランスミッタを起動し、国外であれば前記ＦＭトランスミッタを起動しない制御ステップを有することを特徴とする無線通信装置の制御方法である。
【発明の効果】
【００１０】
本発明によれば、高い利便性を保ちつつ、ＦＭトランスミッタの提供する機能を精度良く制限することができる。
【発明を実施するための最良の形態】
【００１１】
以下、本発明を実施するための最良の形態について図面を参照して説明する。
【実施例１】
【００１２】
まず、本実施例の構成を説明する。図１は、本実施例の構成を示すブロック図である。図１において、携帯電話機１００は、アンテナ１０１と無線部１０２と表示部１０６と操作部１０７とＦＭトランスミッタ１０８とを備える構成であり、制御部１０３は、ＣＰＵ１０４やメモリ１０５他の制御回路を有する。
【００１３】
携帯電話機１００は、制御部１０３の制御により無線部１０２、アンテナ１０１を介して図示しない基地局と通信を行う。無線部１０２は、アンテナ１０１にて受信した信号を、受信したい信号周波数を選択し主は数変換を行い増幅し、復調して、受信データを制御部１０３に出力する。制御部１０３は、受信データを処理して音声信号を音声処理部１１０に出力し、音声処理部１１０は、音声信号をアナログ信号に替えてスピーカ１１２より音声を出力する。
【００１４】
また、マイク１１１より入力された音声は、音声処理部１１０にて、デジタル信号に変換され、制御部１０３は、その信号を送信データに処理し、無線部１０２にて、変調し規定の周波数の搬送波として増幅し、アンテナ１０１より送信を行う。
【００１５】
制御部１０３は、操作部１０７を監視し、ユーザの操作を検出判断し、操作に基づく処理を行う。
ＬＣＤ表示部１０６は、制御部１０３の制御により各種表示を行う。
メモリ１０５は、携帯電話機１００を制御するプログラムや電話帳やメール等のデータ保存等に使用する。メモリ１０５は、携帯電話機１００の電源が落とされても、その記憶する内容を失わない不揮発性メモリであることが好ましい。
【００１６】
ＦＭトランスミッタ１０８は、制御部１０３から入力した音楽データと、発振器から提供された信号を基に、変調を行い、送信信号を生成する。生成した送信信号は、アンテナ１０９からＦＭ信号の電波として送信する。
【００１７】
アンテナ１０９から送信されたＦＭ信号の電波は、例えば、図３に構成例を示すＦＭ放送受信機によって受信される。図３は、本実施例に関係するＦＭ放送受信機の構成例を示すブロック図である。
【００１８】
ＦＭ放送受信機３００は、アンテナ３０１、ＦＭチューナ３０２、制御部３０３、スピーカ３０４を有して構成される。ＦＭ放送受信機３００は、携帯電話機１００が送信したＦＭ信号の電波を、アンテナ３０１を介してＦＭチューナ３０２で受信する。制御部３０３は、ＦＭチューナ３０２が受信した信号を復調して、再生用のデータを生成して、スピーカ３０４に出力し、スピーカ３０４より音声を出力する。
【００１９】
次に、本実施例の動作を説明する。図２は、本実施例の動作を示すフローチャートである。本実施例の動作は、携帯電話機１００の音声再生機能が生成した音楽データを、ＦＭトランスミッタ機能を用いてＦＭ信号に変調して電波として送信する動作を含む。
【００２０】
操作者が、ＦＭトランスミッタ機能を有効にすると、制御部１０３は、ＦＭトランスミッタ１０８を起動して良いか検証するため、国内で使用しているか確認する（ステップＳ２０１）。
【００２１】
制御部１０３は、無線部１０２とアンテナ１０１を介して、移動通信網と通信を行い、位置登録を行う。位置登録に成功していれば、圏内の状態になるが、現在のサービスエリアに対する状態が、圏内であるか圏外であるか確認する（ステップＳ２０２）。
【００２２】
制御部１０３は、無線部１０２とアンテナ１０１を介して行う移動通信網との通信データのパラメータにある、"ネットワークの国番号"を確認し、現在のサービスエリアが国内網であるか海外網であるかを確認する（ステップＳ２０３）。
【００２３】
国内の移動通信網であれば、制御部１０３は、ＦＭトランスミッタ１０８を起動して、メモリ１０５から音楽データを読み出し、ＦＭトランスミッタ１０８へ出力する。ＦＭトランスミッタ１０８は、入力された音声データと発振器から出力される搬送波を、ＦＭ変調して、アンテナ１０９を介して送信する（ステップＳ２０４）。
一方で、海外の移動通信網に位置登録しているのであれば、ＦＭトランスミッタ１０８を起動しない（ステップＳ２０５）。
【００２４】
移動通信網とのサービスエリア状態が圏外である場合、電源ＯＮから位置登録したかを確認し、最後に位置登録したのが国内のサービスエリアならば（ステップＳ２０６、Ｓ２０７）、制御部１０３は、ＦＭトランスミッタ１０８を起動して、メモリ１０５から音楽データを読み出しＦＭトランスミッタ１０８へ出力する。ＦＭトランスミッタ１０８は、入力された音声データと発振器から出力される搬送波を、ＦＭ変調して、アンテナ１０９を介して送信する（ステップＳ２０８）。
一方で、最後に位置登録したのが国内の移動通信網でない場合は、国内であることの確認ができないため、ＦＭトランスミッタ１０８を起動しない（ステップＳ２０９）。
【００２５】
電源ＯＮ後に国内のサービスエリアに位置登録したかを確認する方法は、メモリ３０５にあるフラグを参照して行う。操作者が、携帯電話機１００の電源をＯＮした後、制御部１０３は、このフラグをＯＦＦ状態にし、サービスエリアに位置登録したかを監視する。国内のサービスエリアの圏内状態に一度でも至った場合、フラグをＯＮに設定する。一度も圏内状態にならない場合、電源をＯＮしたときに設定したＯＦＦ状態を維持する。海外の移動通信網に位置登録した場合は、このフラグをＯＦＦに設定する。
【００２６】
位置登録とは、操作者が携帯電話機１００の電源を投入すると、制御部１０３は操作部１０７を介して電源が投入されたことを検出し、その直後に携帯電話機が在圏するサービスエリアの管理サーバ（図示せず）にネットワークを介して位置登録要求信号を送信し、管理サーバと認証制御を行い、携帯電話機１００が移動してサービスエリアが変わった場合や、移動はないが一定周期同じサービスエリアを維持した場合に行う。
【００２７】
次に、本実施例について図４を用いて、携帯電話機１００の状態に注目して説明をする。図４は、本実施例を説明するための状態遷移図である。
【００２８】
本実施例は、ＦＭトランスミッタ等の海外での利用制限が必要な機能を有する携帯電話機において、ＦＭトランスミッタ等を起動するとき、携帯電話機が国内で使用されているかを判断するため、現在の移動通信網との通信状態が国内で使用されているかを判断するため、現在の移動通信網との通信状態が、国内網サービスエリアに対して圏内状態であるか、又は、装置電源ＯＮしてから国内のサービスエリアに対して圏内状態になっていたかを判断する手段を有し、国内で使用している時のみ、ＦＭトランスミッタを起動することを特徴とする。
【００２９】
図４において、状態１ないし４は、携帯電話機１００の状態（電源ＯＮ／ＯＦＦ、圏内／圏外、圏内であれば国内／国外（海外））を示し、それぞれの状態について、ＦＭトランスミッタ１０８の起動可否が示されている。
【００３０】
また、図４において、ステップＳ４０１は、装置電源をＯＦＦからＯＮし、国内サービスエリアの圏内にあることが位置確認される動作を示す。
ステップＳ４０２，４０６，４０８は、装置電源をＯＦＦする動作を示す。
ステップＳ４０３，４０９は、装置電源がＯＮのまま、サービスエリアが圏外となる動作を示す。
ステップＳ４０４は、装置電源がＯＮのまま、圏外から国内のサービスエリア圏内に移行する動作を示す。
ステップＳ４１０は、装置電源がＯＮのまま、圏外から海外のサービスエリア圏内に移行する動作を示す。
ステップＳ４０５は、装置電源をＯＦＦからＯＮにし、サービスエリアの圏外にある（位置確認ができない、言い換えれば、位置の判断ができない）場合の動作を示す。
ステップＳ４０７は、装置電源をＯＦＦからＯＮにし、海外のサービスエリアの圏内にあることが位置確認される動作を示す。
【００３１】
本実施例の携帯電話機１００は、状態１や状態４のとき、ＦＭトランスミッタ１０８を起動不可とする。また、状態２のとき、起動可能とする。そして、状態３のとき、所定の条件を満たす場合に、起動可能とする。
【００３２】
上述のとおり、携帯電話機１００は、ＦＭトランスミッタ１０８を起動するとき、携帯電話機１００が移動通信網に位置登録して圏内の状態であるか、位置登録していない圏外の状態であるかを確認する。移動通信網のサービスエリアに対して圏内の状態である場合、移動通信網と携帯電話機の間で通信するデータの一部にある、"ネットワークの国番号"を確認し、国内であるか海外（国外）であるかを確認する。
【００３３】
国内の場合は、携帯電話機１００は、ＦＭトランスミッタ１０８の起動を継続して行い、音楽データをＦＭ信号に変調して送信する。すなわち、これが、ステップＳ４０１を経て、状態１から状態２へ遷移した場合の動作である。また、海外の場合は、ＦＭトランスミッタ１０８を起動しない。すなわち、これが、ステップＳ４０７を経て、状態１から状態４へ遷移した場合の動作である。本実施例は、このように動作することによって、ＦＭトランスミッタの提供する機能を精度良く制限することができる。
【００３４】
一方で、移動通信網のサービスエリアに対して圏外の状態である場合（すなわち、状態１からステップＳ４０５を経て状態３へと遷移した場合である。）、携帯電話機が電源ＯＮした後、国内の移動通信網に位置登録していたかを確認し、最後に位置登録したのが国内サービスエリアならば、ＦＭトランスミッタの起動を継続して行い、音楽データをＦＭ信号に変調して送信する。すなわち、これが、上記「所定の条件を満たす場合に起動可能とする」動作である。
【００３５】
また、一度も移動通信網に位置登録せず圏外であり続けた場合（状態３であり続ける場合）と、位置登録していても最後の位置登録が海外網に対する位置登録であった場合（最新の位置登録が状態４のときである場合）には、携帯電話機１００は、ＦＭトランスミッタ１０８を起動しない。本実施例は、このように動作することによって、高い利便性を保ちつつ、ＦＭトランスミッタの提供する機能をさらに精度良く制限することができる。
【実施例２】
【００３６】
実施例１では、携帯電話機１００の電源をＯＮした後に、国内の移動通信網に対して一度でも位置登録していれば、電源ＯＦＦしない限り、ＦＭトランスミッタ１０８を起動することができる。そのため、船で海外に移動した場合や、電源ＯＦＦせずに飛行機で海外に移動して圏外の状態を維持した場合、海外でもＦＭトランスミッタ１０８の提供する機能を使用することができてしまうという課題がある。
【００３７】
本実施例では、国内の移動通信網に対して位置登録を行い、圏内に遷移した後圏外に遷移した場合、一定時間はＦＭトランスミッタ１０８を起動可能として、一定時間経過後は起動不可能とすることを特徴とする。課題に対して、移動通信網に対して圏内から圏外に遷移したタイミングから一定時間経過した後はＦＭトランスミッタを起動できなくすることで、携帯電話機を電源ＯＦＦせずに海外に移動して圏外の状態を維持した時でも、ＦＭトランスミッタを起動不可能とするので、課題を解決できる。なお、移動通信網に対して圏内から圏外に遷移したタイミングから経過した時間の計測は、例えばＣＰＵ１０４が行う。すなわち、ＣＰＵ１０４は、計測手段として機能する。
【００３８】
具体的に、本実施例の構成は、図１に示す物と同様である。一方で動作において異なるので、本実施例の動作を、図５を用いて説明する。図２と重複する個所については説明を省略し、図２との差分であるステップＳ５１０を中心に説明する。
【００３９】
図５において、移動通信網のサービスエリア状態が圏外である場合、電源ＯＮから位置登録したかを確認し、最後に位置登録したのが国内のサービスエリアならば（ステップＳ２０６、ステップＳ２０７）、制御部１０３は、最後に圏内から圏外に遷移したタイミングから現在までの時間をメモリ１０５から読み出した「一定時間」を表す閾値時間と比較して、閾値時間より短い場合は、ＦＭトランスミッタ１０８を起動するため、メモリ１０５から音楽データを読み出し、ＦＭトランスミッタ１０８へ出力する（ステップＳ５１０）。
【００４０】
ＦＭトランスミッタ１０８は、入力した音声データと発信器から出力される搬送波を、変調して、ＦＭ信号を生成し、アンテナ３０９を介して送信する（Ｓ２０８）。閾値時間より長い場合や、最後に位置登録したのが国内のサービスエリアでない場合は、ＦＭトランスミッタを起動しない（Ｓ２０９）。本実施例は、このように動作することによって、高い利便性を保ちつつ、ＦＭトランスミッタの提供する機能をさらに精度良く制限することができる。
【図面の簡単な説明】
【００４１】
【図１】本発明の実施例１の構成を示すブロック図である。
【図２】本発明の実施例１の動作を示すフローチャートである。
【図３】本発明の実施例１に関係するＦＭ放送受信機の構成例を示すブロック図である。
【図４】本発明の実施例１を説明するための状態遷移図である。
【図５】本発明の実施例２の動作を示すフローチャートである。
【符号の説明】
【００４２】
１００    携帯電話機
１０１    アンテナ
１０２    無線部
１０３    制御部
１０４    ＣＰＵ
１０５    メモリ
１０６    表示部
１０７    操作部
１０８    ＦＭトランスミッタ
１０９    アンテナ
１１０    音声処理部
１１１    マイク
１１２    スピーカ
３００    ＦＭ放送受信機
３０１    アンテナ
３０２    ＦＭチューナ
３０３    制御部
３０４    スピーカ
【図１】
2011188533.tif 000003
【図２】
2011188533.tif 000004
【図３】
2011188533.tif 000005
【図４】
2011188533.tif 000006
【図５】
2011188533.tif 000007